(57)【特許請求の範囲】
【請求項１】
室内機と室外機とを具備し、
前記室外機は、
基板に実装される電装品と、
前記電装品を覆う板金箱とを備え、
前記板金箱は、電子部品収納室と制御基板に固定されるフィンが挿通するフィン挿通部とに、底板を曲げ成形される境界板により区分けされ、
前記板金箱は、前記境界板の下端部に板金成形された凹形状の排水溝および凸形状の防水土手部を有し、
前記排水溝は、両端部に角穴がそれぞれ形成され、
前記防水土手部は、底板と前記底板の前後にそれぞれ曲げ成形される前板および後板とに形成される第１土手部と、第２土手部とを有し、
前記排水溝、前記第１土手部、前記第２土手部の順に配置され、
前記第１土手部は、前記排水溝に沿った方向に形成され、
前記第２土手部は、前記第１土手部に対して９０度未満傾斜して形成され、
前記第２土手部における前記第１土手部からより遠い位置の前記第１土手部側に角穴が形成されている、
ことを特徴とする空気調和機。
【請求項２】
室内機と室外機とを具備し、
前記室外機は、
基板に実装される電装品と、
前記電装品を覆う板金箱とを備え、
前記板金箱は、板金成形された凹形状の排水溝および凸形状の防水土手部を有し、
前記防水土手部は、第１土手部と第２土手部とを有し、
前記排水溝、前記第１土手部、前記第２土手部の順に配置され、
前記第１土手部は、前記排水溝に沿った方向に形成され、
前記第２土手部は、前記第１土手部に対して９０度未満傾斜して形成され、
前記板金箱の底面における４つの角部にそれぞれ角穴が１つ以上設けられており、
前記角部のうち３つは前記第２土手部に対して前記第１土手部側にあり、
前記角部のうち１つは前記第２土手部に対して前記第１土手部の反対側にある
ことを特徴とする空気調和機。
【請求項３】
前記排水溝の両端にそれぞれ前記角穴が設けられている
ことを特徴とする請求項２に記載の空気調和機。
【発明の詳細な説明】
【技術分野】
【０００１】  本発明は、空気調和機に関する。
【背景技術】
【０００２】  空気調和機の室外機は戸外に設置されるため、台風などの風雨に晒されることになる。  室外機の内部には、冷凍サイクルを構成するアキュムレータ、圧縮機、室外熱交換器、配管等に加えて、冷凍サイクル等を制御する電子部品等が実装された制御基板が設けられている。制御基板は板金製の電気品箱に収納されている。電気品箱が板金で製作されるため、角部に鉄板を折り曲げるための穴が形成されている。【０００３】  ところで、室外機には、室外機内の室外熱交換器の熱交換を促進するために開口が形成され、ファンにより戸外の空気が送られる。雨天の場合、ファンにより戸外の雨が室外機の内部に吸込まれ、電気品箱にかかることとなる。その際、室外機内の電気品箱の内部に水が浸入する場合がある。【０００４】  電気品箱内の電子部品や電源部は、水分に触れるとショートしたり、動作不良等を引き起こしたり、水分に弱いため、電気品箱内に水が浸入しない構造が望まれる。  つまり、室外機の電気品箱内に進入した水分が電子部品や電源部に触れないような方策を施す必要がある。
【先行技術文献】
【特許文献】
【０００５】
【特許文献１】特開２０１５−０４０６７９号公報（図１（ｂ）、段落００２９等）
【発明の概要】
【発明が解決しようとする課題】
【０００６】  そこで、特許文献１の図１（ｂ）には、延長部（３６ａ）が第２開口（３４）と電装品ユニット（２４）との間に配置され、第２開口（３４）から機械室（２０）に水滴が入った場合に、延長部（３６ａ）が電装品ユニット（２４）への防水を行う構成が記載されている。【０００７】  その他の方策として、電気品箱内に完全に水を進入させないようにするため、電気品箱の隙間を、防水用のテープやシート材を貼ったり、シリコン等のシール剤を塗ったり、スポンジ状のシール材を使用したりすることで、電気品箱の隙間や穴を埋めている。【０００８】  このような方策を施しても、完全防水できるように隙間や穴を埋めることは困難である。  そのため、電気品箱の内側にシール材を塗り、外側に防水用のテープを貼る等の二重の防水対策も生じている。【０００９】  或いは、防水作業に時間がかかるため、防水作業を、室外機を製作するラインの別工程で行い作り溜めし、該ラインに防水作業品を投入することが行われている。  このようなことから、組立て工数が増加し、材料費がかさみ、材料と組立に多くの費用が発生する。そのため、生産コストの上昇を招いている。【００１０】  上述以外の方策として、電気品箱を樹脂成形する方策がある。電気品箱を樹脂成形する場合、電気品箱を板金で製作するのに比較し、２〜３倍のコスト増となる。  また、電気品箱を樹脂成形する場合、燃え易く、不燃構造とできない問題がある。そこで、樹脂成形した電気品箱を耐火構造とするため、樹脂製の電気品箱を板金製の箱で覆うことが行われている。【００１１】  本発明は上記実状に鑑み創案されたものであり、簡単な構造で電気品箱の防水が行える空気調和機の提供を目的とする。
【課題を解決するための手段】
【００１２】
前記課題を解決するため、本発明の空気調和機は、室内機と室外機とを具備し、前記室外機は、基板に実装される電装品と、前記電装品を覆う板金箱とを備え、前記板金箱は、電子部品収納室と制御基板に固定されるフィンが挿通するフィン挿通部とに、底板を曲げ成形される境界板により区分けされ、前記板金箱は、前記境界板の下端部に板金成形された凹形状の排水溝および凸形状の防水土手部を有し、前記排水溝は、両端部に角穴がそれぞれ形成され、前記防水土手部は、底板と前記底板の前後にそれぞれ曲げ成形される前板および後板とに形成される第１土手部と、第２土手部とを有し、前記排水溝、前記第１土手部、前記第２土手部の順に配置され、前記第１土手部は、前記排水溝に沿った方向に形成され、前記第２土手部は、前記第１土手部に対して９０度未満傾斜して形成され、前記第２土手部における前記第１土手部からより遠い位置の前記第１土手部側に角穴が形成されている。
【発明の効果】
【００１３】  本発明によれば、簡単な構造で電気品箱の防水が行える空気調和機を実現できる。
【図面の簡単な説明】
【００１４】
【図１】本発明に係る実施形態の空気調和機の室外機を示す斜視図。
【図２】室外機の外カバーの前板と上板とを外した状態を示す斜視図。
【図３】右上方から見た電気品箱アッセンブリの斜視図。
【図４】左下方から見た電気品箱アッセンブリの斜視図。
【図５Ａ】電気品箱アッセンブリの上面図。
【図５Ｂ】図５ＡのＩ−Ｉ断面図。
【図６】電気品箱を右斜め上方から目視した斜視図。
【図７】底板、右側板、左側板を一部切り欠いた図６のII方向矢視図。
【図８】電気品箱を左斜め上方から目視した斜視図。
【図９】電気品箱の上面図。
【図１０】図９のIII−III断面拡大図。
【図１１】電気品箱の下面図。
【図１２Ａ】第１土手部と排水溝の形成の概要を示す断面図。
【図１２Ｂ】第１土手部と排水溝の形成の概要を示す断面図。
【図１２Ｃ】第１土手部と排水溝の形成の概要を示す断面図。
【図１３Ａ】左側板の曲げ成形を示す図。
【図１３Ｂ】左側板の曲げ成形を示す図。
【図１３Ｃ】左側板の曲げ成形を示す図。
【図１４Ａ】第２土手部の形成の概要を示す断面図。
【図１４Ｂ】第２土手部の形成の概要を示す断面図。
【図１４Ｃ】第２土手部の形成の概要を示す断面図。
【図１５Ａ】第２土手部が形成された前板の曲げ成形の概要を示す断面図。
【図１５Ｂ】第２土手部が形成された前板の曲げ成形の概要を示す断面図。
【図１５Ｃ】第２土手部が形成された前板の曲げ成形の概要を示す断面図。
【図１６】第１土手部と排水溝の排水作用を示す図３のIV方向矢視断面図。
【図１７】第２土手部による排水作用を示す電気品箱の上面図。
【図１８】電気品箱の角穴からの浸水を抑える電気品箱と基板サポートの嵌合箇所を示す斜視図。
【図１９】電気品箱の合わせ部と基板サポートの嵌合箇所を示す斜視図。
【発明を実施するための形態】
【００１５】  以下、本発明の実施形態について、適宜図面を参照しながら詳細に説明する。  本発明は、空気調和機に係り、詳細には室外機の電気品箱内に進入した水分を電子部品や電源部に触れないようにする防水土手部と排水溝もつ電気品箱に関する。
【００１６】  本発明では、電気品箱内に水が浸入した場合にも、電子部品部や電源部に水分が流れない構造を新たに提案する。これにより、電気品箱の信頼性を維持し、製造原価を抑制する。
【００１７】  図１に、本発明に係る実施形態の空気調和機Ｃの室外機Ｃｏを示す。  実施形態の空気調和機Ｃは、室内機Ｃｉと室外機Ｃｏとを具備している。  室内機Ｃｉは屋内に設置され、屋内の空気調和を行う。
【００１８】  ＜室外機Ｃｏ＞    室外機Ｃｏは、屋外に設置され、その内部に空気調和機Ｃの主な機能要素が格納されている。  室外機Ｃｏは、外カバー１により外郭が形成されている。
【００１９】  図２に、室外機Ｃｏの外カバー１の前板１ｍと上板１ｕとを外した状態を示す。  室外機Ｃｏと室内機Ｃｉの内部には、冷媒が流れる配管２で接続される冷凍サイクルが構成されている。
【００２０】  室外機Ｃｏの内部には、冷凍サイクルを構成するアキュムレータ３、圧縮機４、室外熱交換器１ｅ等が配管２を介して連結されている。  室外熱交換器１ｅの前方には、室外熱交換器１ｅに空気を送るためのファン５が配置されている。
【００２１】  図１に示すように、外カバー１の前板１ｍには、外気を室外機Ｃｏの内部の室外熱交換器１ｅに向けて吸込むための開口１ｋが、ファン５の前方に形成されている。開口１ｋは、放射状および円形状を成す格子１ｋ１を有して構成されている。
【００２２】  図２に示す室外機Ｃｏの右上には、ファン５を駆動するファンモータ（図示せず）や圧縮機４を制御するインバータ装置等の制御部が格納される電気品箱アッセンブリ６が配設されている。  アキュムレータ３、圧縮機４等は、ファン５、ファンモータ、電気品箱アッセンブリ６とは、仕切り板１ｓによって区切られている。
【００２３】  室外機Ｃｏは、屋外に設置されるため風雨に晒される。そのため、雨天や台風の際には、ファン５によって開口１ｋ（図１参照）から空気とともに吸込まれた水分が電気品箱アッセンブリ６にかかる事象が発生する。
【００２４】  ＜電気品箱アッセンブリ６＞  図３に、右上方から見た電気品箱アッセンブリ６の斜視図を示し、図４に、左下方から見た電気品箱アッセンブリ６の斜視図を示す。
【００２５】  図５Ａに、電気品箱アッセンブリ６の上面図を示し、図５Ｂに、図５ＡのＩ−Ｉ断面を示す。  電気品箱アッセンブリ６は、電気品箱７と、制御基板８と、基板サポート９とを備えている。
【００２６】  電気品箱７は、鋼板を用いて板金加工で製作されている。  制御基板８には、インバータ装置等の電子部品８ｄ１が実装されている。
【００２７】  基板サポート９は、制御基板８を支持するとともに、電気品箱７に嵌入される形状に樹脂成形されている。基板サポート９は、平板状であって外周部にリブが下方にむけて立設されている。
【００２８】  図５Ｂに示すように、基板サポート９の下方には、電子部品８ｄ１が実装される制御基板８が、逆さ姿勢で設置されている。すなわち、電子部品８ｄが実装される実装面８ｊが下面となり、電子部品８ｄ１の端子が半田付けされる半田面８ｈが上面となっている。
【００２９】  これにより、電子部品８ｄの中で一番背が高いキャパシタ８ｃから電気品箱７の底板７ａまでの距離ｓ１を充分に大きくとれる。距離ｓ１は例えば、７〜１３ｍｍとれる。これにより、電子部品８ｄを電気品箱７の底板７ａから離膈して配置できる。そのため、電子部品８ｄに水がかかりにくい。
【００３０】  制御基板８の一方側に実装されるパワー素子８ｐは、インバータ装置等の電源制御に使用され大電流が流れる。そのため、パワー素子８ｐは発熱量が大きいので、放熱の必要がある。そこで、パワー素子８ｐに接触させて、放熱用のフィン８ｆが複数下方に延びて形成される。フィン８ｆは、例えば熱伝導性が良好かつ軽量であり、加工性が良いアルミニウムが用いられる。
【００３１】  図３に示すように、電気品箱７の他方には、制御基板８に電気的に接続される電源用の端子台１０が設けられる。端子台１０は、電源用のジャック１０ｐを有している。
【００３２】  ＜電気品箱７＞  図６に、電気品箱を右斜め上方から目視した図を示し、図７に、図６のII方向矢視の底板７ａ、右側板７ｄ、左側板７ｅを一部切り欠いた図を示す。
【００３３】  図８に、電気品箱を左斜め上方から目視した図を示す。図９に電気品箱の上面図を示し、図１０に、図９のIII−III断面拡大図を示す。  図１１に電気品箱７の下面図を示す。
【００３４】  図６に示すように、電気品箱７は、上面が開口した２つの室を有する箱形状に板金で成形される。  電気品箱７は、電子部品収納室７Ａと、フィン挿通部７Ｂとを備える。
【００３５】  電子部品収納室７Ａには、制御基板８に実装される下向きの電子部品８ｄ１やキャパシタ８ｃ等が収納されている。一方、フィン挿通部７Ｂには、制御基板８に固定されるフィン８ｆが挿通するフィン挿通孔７ｈが開口されている。
【００３６】  電気品箱７の電子部品収納室７Ａは、底板７ａ、前板７ｂ、後板７ｃ、右側板７ｄおよび左側板７ｅが板金の曲げ加工で形成されている。  底板７ａと前板７ｂと右側板７ｄとは板金角部ｋ１を形成する。また、底板７ａと後板７ｃと右側板７ｄとは板金角部ｋ２を形成する。また、底板７ａと前板７ｂと左側板７ｅと板金角部ｋ３を形成する。また、底板７ａと左側板７ｅと後板７ｃとは板金角部ｋ４を形成する。
【００３７】  板金角部ｋ１、ｋ２、ｋ３、ｋ４は、それぞれ板金の曲げ加工上、１．０ｍｍ〜１．５ｍｍ程度の角穴ａ１、ａ２、ａ３、ａ４が形成される。そのため、角穴ａ１、ａ２、ａ３、ａ４から水が浸入してしまう。  そこで、水が制御基板８にかからないように排水する。逆に、角穴ａ１、ａ２、ａ３、ａ４を排水口として利用する。
【００３８】  ＜右側板７ｄにおけるコード出し口１３と端子台受け１４＞  図３、図６に示すように、右側板７ｄの手前側には、信号線用のコード（図示せず）が通るコード出し口１３が矩形状の切り欠き形状に形成されている。コード出し口１３は、底板７ａから離膈して（距離をもって）高い位置に形成されている。コード出し口１３が底板７ａから高い位置にあるため、信号線用のコードを伝って水が内部に流れ込むことを阻止できる。
【００３９】  右側板７ｄの中央部には、室内機Ｃｉと室外機Ｃｏとをケーブルで接続する端子台１０が載置される端子台受け１４が底板７ａに連なる板が外方に折り曲げられるとともに上方に折り曲げられ形成されている。  
【００４０】  ＜第１土手部１１と排水溝１３＞  図６、図７に示すように、左側板７ｅの近傍域の底板７ａ、前板７ｂ、および後板７ｃに内方に向けて凸状に形成された第１土手部１１が一体に形成されている。  第１土手部１１は、底板７ａに形成された底土手部１１ａと、前板７ｂに形成された前土手部１１ｂ（図７参照）と、後板７ｃに形成された後土手部１１ｃとを有している。
【００４１】  図６に示す底土手部１１ａは、底板７ａの上面を伝わって電子部品収納室７Ａの中央部へ流れる水を堰き止める。前板７ｂに形成される前土手部１１ｂ（図７参照）は、前板７ｂの内面を伝わって電子部品収納室７Ａの中央部に流れる水を堰き止める。後板７ｃに形成される後土手部１１ｃ（図６参照）は、後板７ｃの内面を伝わって電子部品収納室７Ａの中央部に流れる水を堰き止める。
【００４２】  第１土手部１１と左側板７ｅとの間には、底板７ａに外方に向けて窪んだ排水溝１３が、角穴ａ３（図９参照）から角穴ａ４（図６、図９参照）に接続して形成されている。排水溝１３は電気品箱７の左側板７ｅから、底板７ａを伝わって電子部品収納室７Ａに浸入した水の排水路を構成する。また、排水溝１３は電気品箱７の左側板７ｅから、前板７ｂの内面を伝わって電子部品収納室７Ａの中央部に流れようとする水を排水する。また、排水溝１３は電気品箱７の左側板７ｅから、後板７ｃの内面を伝わって電子部品収納室７Ａの中央部に流れようとする水を排水する。
【００４３】  そして、排水溝１３に続く角穴ａ３と角穴ａ４とは、左側板７ｅ、前板７ｂ、後板７ｃから電子部品収納室７Ａに浸入した水の排水孔を構成する。
【００４４】  ＜第２土手部１２＞  図７、図９に示すように、底板７ａと前板７ｂとには、内方に向けて凸状に形成された第２土手部１２が形成されている。
【００４５】  図９に示すように、第２土手部１２は底板７ａの長手方向に延びる中心線Ｏに対して非対称に形成されている。換言すれば、第２土手部１２は浸入した水が流れる方向（図１７の矢印β１７）に対して、９０度未満傾斜して形成されている。  第２土手部１２は底板７ａにおける端子台１０の取付面（端子台受け１４）の反対側に排水孔となる角穴ａ２が設けられている  底板７ａの第２土手部１２は、左側板７ｅや右側板７ｄに対して傾斜して形成されている。第２土手部１２が堰き止める水に対して、角穴ａ２が排水孔を形成する。
【００４６】  図９に示すように、底板７ａの第２土手部１２の一端部には、前板７ｂから後板７ｃに向かって延びる上土手部１２ａ１が形成されている。底板７ａの第２土手部１２の中央部には、左側板７ｅや右側板７ｄに対して中土手傾斜部１２ａ２が傾斜して形成されている。中土手傾斜部１２ａ２は、角穴ａ２が第１土手部１１の側に配置されるように形成される。
【００４７】  中土手傾斜部１２ａ２の他端部には、後板７ｃにそって延び、角穴ａ２が側板７ｅの側に配置されるように下土手部１２ａ３が形成されている。
【００４８】  図７に示すように、前板７ｂに形成された第２土手部１２の前土手部１２ｂは、底板７ａから上方に延びる形状に形成されている。
【００４９】  ＜第１土手部１１と排水溝１３の形成と左側板７ｅの曲げ成形＞  次に、電気品箱７の第１土手部１１と排水溝１３の形成と、左側板７ｅの曲げ成形の一例について説明する。
【００５０】  図１２Ａ〜図１２Ｅに、第１土手部１１と排水溝１３の概要を断面で示す。  電気品箱７の母材となる金属板１５（図１２Ａ参照）を準備する。金属板１５としては、溶融亜鉛メッキ鋼板、電気亜鉛メッキ鋼板等が使用されるが、他の金属板を使用してもよい。  下型Ｋ１として、排水溝１３に対応する凹部ｋ１ａを有する下型を用意する。
【００５１】  上型Ｋ２として、排水溝１３成形するパンチｋ２ａを有する上型を用意する。  そして、図１２Ｂに示すように、下型Ｋ１と上型Ｋ２との間に配置した金属板１５をプレスする（図１２Ｂの矢印α１）。
【００５２】  これにより、金属板１５に排水溝１３が形成される。  同様な方法で、第１土手部１１を形成する。
【００５３】  これにより、図１２Ｃに示す第１土手部１１と排水溝１３が形成された金属板１５となる。なお、図１２Ｃおよび後記の図１３Ａ〜図１３Ｃでは、排水溝１３と第１土手部１１とを離して図示している。このように、排水溝１３と第１土手部１１とを離して形成してもよい。
【００５４】  図１３Ａ〜図１３Ｃに左側板７ｅの曲げ成形の概要を断面で示す。  その後、図１３Ａに示すように、第１土手部１１と排水溝１３とが形成された金属板１５を、下記の下型Ｋ３と上型４の間に配置する。
【００５５】  下型Ｋ３は、曲げパンチｋ３ａと排水溝１３の凹状の逃げｋ３ｂとを有している。  上型Ｋ４は、排水溝１３の凸状の支持部ｋ４ａと第１土手部１１の凹状の逃げｋ４ｂとを有している。
【００５６】  そして、図１３Ｂに示すように、下型Ｋ３と上型Ｋ４との間の金属板１５を下型Ｋ３の曲げパンチｋ３ａで曲げ成形する（図１３Ｂの矢印α２）。  これにより、図１３Ｃに示す電気品箱７の第１土手部１１と排水溝１３が形成された下板７ａと左側板７ｅが形成される。
【００５７】  ＜第２土手部１２の形成と、第２土手部１２がある前板７ｂの曲げ成形＞  次に、第２土手部１２の形成と、第２土手部１２が形成された前板７ｂの曲げ成形の一例について説明する。
【００５８】  図１４Ａ〜図１４Ｃに、第２土手部１２の形成の概要を断面で示す。  図１４Ａに示すように、下型Ｋ５として、斜めの第２土手部１２に対応する凹部ｋ５ａを有する下型を用意する。  下型Ｋ６として、斜めの第２土手部１２に対応するパンチｋ６ａを有する下型を用意する。
【００５９】  図１４Ｂに示すように、下型Ｋ５と上型Ｋ６との間に配置た金属板１５をプレスする（図１４Ｂの矢印α３）。
【００６０】  これにより、金属板１５に第２土手部１２（図１４Ｃ参照）が形成される。図１４Ｃでは、第２土手部１２を上に金属板１５を載置した場合を示す。
【００６１】  図１５Ａ〜図１５Ｃに、第２土手部１２が形成された前板７ｂの曲げ成形の概要を断面で示す。  続いて、図１５Ａに示すように、第２土手部１２が形成された金属板１５を下記の下型Ｋ７と上型Ｋ８との間に配置する。
【００６２】  下型Ｋ７には、曲げパンチｋ７ａを有している。  上型Ｋ８には、第２土手部１２を逃げる凹状の逃げｋ８ａを有している。
【００６３】  そして、図１５Ｂに示すように、下型Ｋ７と上型Ｋ８との間に配置した第２土手部１２が形成された金属板１５を、下型Ｋ７の曲げパンチｋ７ａを用いて曲げ成形する（図１５Ｂの矢印α４）。これにより、底板７ａの一方側の前板７ｂが曲げ形成される。
【００６４】  底板７ａの他方側の後板７ｃも同様に曲げ成形される。  これにより、図１５Ｃに示す第２土手部１２を有する底板７ａと、底板７ａに対して曲げ成形された第２土手部１２を有する前板７ｂが形成される。
【００６５】  ＜第１土手部１１と排水溝１３による排水作用＞  図１６に、第１土手部１１と排水溝１３の排水作用を示す図３のIV方向矢視断面図を示す。  ファン５（図２参照）の稼動により、室外機Ｃｏ（図１参照）の外部の雨水がその内部に吸引される。
【００６６】  室外機Ｃｏの内部に入った水分は、フィン８ｆを含む電気品箱アッセンブリ６に当たる。  例えば、図１６に示すように、制御基板８（図５Ｂ参照）を支持する基板サポート９の電子部品収納室７Ａへの挿入板９ｓと、電気品箱７の左側板７ｅとの間から電気品箱７の電子部品収納室７Ａの内部に浸水する（図１６の矢印β１１）。そして、浸水した水の一部は、左側板７ｅに隣接する底板７ａの排水溝１３に流入する（図１６の矢印β１２）。流入した水は、排水溝１３を流れ（図１６の矢印β１３）、図６に示す排水溝１３の端部の角穴ａ３または角穴ａ４から排出される。
【００６７】  一方、図１６に示すように、排水溝１３に入らなかった水または排水溝１３から溢れた水（矢印β１４）は、凸状の第１土手部１１に堰き止められ、排水溝１３に戻される（矢印β１５）。排水溝１３に戻された水は、排水溝１３を介して、角穴ａ３または角穴ａ４から排出される。
【００６８】  凸状の第１土手部１１で堰き止められなかった水は、第１土手部１１を乗り越える（矢印β１６）。
【００６９】  ＜第２土手部１２と角穴ａ２による排水作用＞  図１７に、第２土手部１２による排水作用を電気品箱７の上面図で示す。  第１土手部１１を乗り越えた水（図１７の矢印β１６）は底板７ａの上を第２土手部１２に向かって流れる（図１７の矢印β１７）。
【００７０】  そして、底板７ａの上を流れる水は、凸状の第２土手部１２に堰き止められ、第２土手部１２の傾斜により第２土手部１２の上土手部１２ａ１、中土手傾斜部１２ａ２、下土手部１２ａ３を伝わって流れ（図１７の矢印β１８）、角穴ａ２から排出される（矢印β１９）。
【００７１】  ここで、水がかかっては困る端子台１０や、コード出し口１３（図３、図６参照）は、第２土手部１２に対して第１土手部１１の反対側にあるので、端子台１０や、コード出し口１３に浸入した水がかかることが抑制される。前記したように、コード出し口１３は、電気品箱７の底板７ａから高く配置されているので、この点からも水がかかることが抑制される。
【００７２】  上記構成により、電気品箱７に浸入した水を第１土手部１１および排水溝１３と第２土手部１２を用いて、円滑に排出できる。
【００７３】  ＜電気品箱７の穴（ａｉ、ｓ１）と基板サポート９との配置による防水＞  次に、電気品箱７の角穴ａｉと基板サポート９との配置による防水について説明する。
【００７４】  図１８に、電気品箱７の角穴ａｉからの浸水を抑える電気品箱７と基板サポート９の嵌合箇所を示す。  前記したように、電気品箱７は板金成形されるため、電気品箱７の角部には板金の曲げ加工上、１．０ｍｍ〜１．５ｍｍ程度の角穴ａｉ（ｉは自然数）が形成される。この角穴ａｉを通って水が電気品箱７の内部に浸入する場合がある（図１８の矢印β２１）。
【００７５】  そこで、電気品箱７の角穴ａｉに、対向して基板サポート９の壁部９ｈ１を配置して、水が角穴ａｉから直接電気品箱７の内部に吹き込まないように構成している。なお、電気品箱７の内部に入り込んだ水は、電気品箱７の下方に位置する角穴ａｉから排出される。
【００７６】  次に、電気品箱７の隙間ｓ１と、制御基板８（図５Ｂ参照）を支持する基板サポート９（図３参照）との配置による防水について説明する。
【００７７】  図１９に、電気品箱７の合わせ部と基板サポート９の嵌合箇所を示す。  電気品箱７は、第１電気品箱７Ｃと第２電気品箱７Ｄとを嵌合して形成される場合がある。その場合、第１電気品箱７Ｃと第２電気品箱７Ｄとの間に隙間ｓ１ができる。この隙間ｓ１を通って水が電気品箱７の内部に浸入する場合がある（図１９の矢印β２２）。
【００７８】  この隙間ｓ１に対向して、基板サポート９の壁部９ｈ２を配置して、水が直接電気品箱７の内部に吹き込まないように構成している。電気品箱７の内部に入り込んだ水は、電気品箱７の下方に位置する角穴ａｉから排出される。    図１８、図１９の構成により、電気品箱７の角穴ａｉや隙間ｓ１から浸入した水を電子部品８ｄ１にかけることなく、角穴ａｉから排水できる。
【００７９】  上記構成によれば、電気品箱７の第１土手部１１、第２土手部１２と排水溝１３が板金で一体に成形されるので、電気品箱７を防水構造とできる。また、電気品箱７を防火構造とでき、かつ安価に製作できる。
【００８０】  また、図１７に示すように、第２土手部１２に対して端子台１０の取付面（端子台受け１４）の反対側に排水孔の角穴ａ２が設けられるので、水が端子台１０にかかることなく角穴ａ２から排水できる。また、第２土手部１２を底板７ａの中心線Ｏに非対称または浸入した水が流れる方向に対して、９０度未満に傾斜して形成されるので、水を第２土手部１２に沿って円滑に流し、角穴ａ２から排出できる。
【００８１】  また、排水孔となる角穴ａ２、ａ３、ａ４、ａｉが複数設けられるので、水を分散させて排出でき、水はけがよい。  室外機Ｃｏの電子部品８ｄ１の排水構造（１１、１２、１３、ａｉ）によって、板金や樹脂成型品のみで完全に密閉することが困難な電気品箱７において、仮に水分が電気品箱７の内部に浸入した場合でも排水が可能である。
【００８２】  そのため、従来のシート材やシリコンで浸水を防止する追加部材が不要になる。これにより、室外機Ｃｏの材料費の低減と製作時間の短縮を行える。  また、電気品箱７はシール構造を採用しないので空気の流通が可能で、完全密閉した電気品箱よりも放熱の面でも有利である。
【００８３】  従って、本発明に係る空気調和機Ｃによれば、空気調和機Ｃの室外機Ｃｏの原価を抑制するとともに、信頼性を向上できる。
【００８４】＜その他の実施形態＞１．前記実施形態では、防水土手部の第１・第２土手部１１、１２を複数設け、排水孔の角穴ａ２、ａ３、ａ４、ａｉを複数設けた場合を例示したが、防水土手部と排水孔との少なくとも何れかを複数設ける構成としてもよい。
【００８５】２．前記実施形態で様々な構成を説明したが、上記構成を適宜選択して組み合わせて構成してもよい。また、実施形態で説明した様々な構成は、本発明の一例を示したものであり、特許請求の範囲内で様々な変形形態、具体的形態が可能である。
【符号の説明】
【００８６】  ７      電気品箱（板金箱）  ７ａ    底板  ８      基板（制御基板）  ８ｃ    キャパシタ（電装品）  ８ｄ１  電子部品（電装品）  ８ｊ    実装面（電装品の面）  ８ｈ    半田面  ９      基板サポート  １０    端子台  １１    第１土手部（防水土手部）  １２    第２土手部（防水土手部）  １３    排水溝  １４    端子台受け（取付面）  ａ２    角穴（排水孔、第１排水孔）  ａ３、ａ４  角穴（排水孔、第２排水孔）  ａｉ    角穴（電気品箱の穴）  Ｃ      空気調和機  Ｃｉ    室内機  Ｃｏ    室外機  ｓ１    隙間
【要約】  本発明は、簡単な構造で電気品箱の防水が行える空気調和機の提供を目的とする。 本発明の空気調和機（Ｃ）は、室内機（Ｃｉ）と室外機（Ｃｏ）とを具備し、室外機（Ｃｏ）は、基板（８）に実装される電装品（８ｄ１）と、電装品（８ｄ１）を覆う板金箱（７）とを備え、板金箱（７）は、板金成形された凹形状の排水溝（１３）および凸形状の防水土手部（１１、１２）を有している。 前記基板（８）は板金箱（７）の上側に配置され、かつ半田面（８ｈ）が上側に、電装品（８ｄ１）の面（８ｊ）が下側に配置されているのが望ましい。【図１】
0006529687.tif 000002
【図２】
0006529687.tif 000003
【図３】
0006529687.tif 000004
【図４】
0006529687.tif 000005
【図５Ａ】
0006529687.tif 000006
【図５Ｂ】
0006529687.tif 000007
【図６】
0006529687.tif 000008
【図７】
0006529687.tif 000009
【図８】
0006529687.tif 000010
【図９】
0006529687.tif 000011
【図１０】
0006529687.tif 000012
【図１１】
0006529687.tif 000013
【図１２Ａ】
0006529687.tif 000014
【図１２Ｂ】
0006529687.tif 000015
【図１２Ｃ】
0006529687.tif 000016
【図１３Ａ】
0006529687.tif 000017
【図１３Ｂ】
0006529687.tif 000018
【図１３Ｃ】
0006529687.tif 000019
【図１４Ａ】
0006529687.tif 000020
【図１４Ｂ】
0006529687.tif 000021
【図１４Ｃ】
0006529687.tif 000022
【図１５Ａ】
0006529687.tif 000023
【図１５Ｂ】
0006529687.tif 000024
【図１５Ｃ】
0006529687.tif 000025
【図１６】
0006529687.tif 000026
【図１７】
0006529687.tif 000027
【図１８】
0006529687.tif 000028
【図１９】
0006529687.tif 000029